(57)【要約】【課題】本体から内釜を引き出すときに引っ掛かり難く、使い勝手が良い炊飯器を提供する。【解決手段】炊飯器１は、上面が開口した本体２と、本体２の開口に開閉自在に設けられ、一端が本体２に軸支される蓋体３と、本体２に着脱自在に設けられ、側面の一部が上方から下方にかけて内側に向けて傾斜し、被炊飯物を収容する内釜４と、内釜４の外側を覆うように、内釜４における傾斜した側面に形成された弾性蓄熱層５と、を有する。【選択図】図１
2015008748.tif 000002
【特許請求の範囲】
【請求項１】
上面が開口した本体と、
前記本体の前記開口に開閉自在に設けられ、一端が前記本体に軸支される蓋体と、
前記本体に着脱自在に設けられ、側面の一部が上方から下方にかけて内側に向けて傾斜し、被炊飯物を収容する内釜と、
前記内釜の外側を覆うように、前記内釜における傾斜した側面に形成された弾性蓄熱層と、を有する
ことを特徴とする炊飯器。
【請求項２】
前記内釜における幅方向の最外側部は、前記弾性蓄熱層における幅方向の最外側部と同じ位置か、又は前記弾性蓄熱層における幅方向の最外側部よりも外側に位置している
ことを特徴とする請求項１記載の炊飯器。
【請求項３】
前記内釜の内側には、前記被炊飯物を浸す水の量の指標となる目盛りが設けられており、
前記弾性蓄熱層は、上端部が前記目盛りの上端部と同じ位置か、又は前記目盛りの上端部よりも上方に位置している
ことを特徴とする請求項１又は請求項２記載の炊飯器。
【請求項４】
前記内釜における側面の一部は、前記目盛りの上端部と同じ位置か、又は前記目盛りの上端部よりも上方の位置から、前記内釜の底面に向けて直線的に傾斜している
ことを特徴とする請求項３記載の炊飯器。
【請求項５】
前記弾性蓄熱層の表面には、深さ方向の摩擦力を低減する加工が施されている
ことを特徴とする請求項１〜４のいずれか一項に記載の炊飯器。
【請求項６】
前記弾性蓄熱層は、シリコンゴムからなる
ことを特徴とする請求項１〜５のいずれか一項に記載の炊飯器。
【発明の詳細な説明】
【技術分野】
【０００１】
本発明は、内釜を備えた炊飯器に関する。
【背景技術】
【０００２】
特許文献１には、被炊飯物を収容する鍋（内釜）の外面の一部に放熱抑止層が設けられた炊飯器が開示されている。また、この特許文献１には、放熱抑止層は、耐熱性及び熱絶縁性等に優れたシリコン系樹脂弾性材であることが好ましいことが記載されている。この従来技術は、内釜を放熱抑止層で覆うことによって、内釜を加熱したときの加熱効率を高めようとするものである。
【先行技術文献】
【特許文献】
【０００３】
【特許文献１】特開２００９−２１９７３７号公報（請求項１、第３頁、図１）
【発明の概要】
【発明が解決しようとする課題】
【０００４】
しかしながら、特許文献１に開示された炊飯器は、内釜の外面に、摩擦係数が高いシリコン系樹脂が形成されている。このため、内釜を本体から引き出す際、このシリコン系樹脂が本体の内面に接触して引っ掛かり易く、使い勝手が悪い。
【０００５】
本発明は、本体から内釜を引き出すときに引っ掛かり難く、使い勝手が良い炊飯器を提供するものである。
【課題を解決するための手段】
【０００６】
本発明に係る炊飯器は、上面が開口した本体と、本体の開口に開閉自在に設けられ、一端が本体に軸支される蓋体と、本体に着脱自在に設けられ、側面の一部が上方から下方にかけて内側に向けて傾斜し、被炊飯物を収容する内釜と、内釜の外側を覆うように、内釜における傾斜した側面に形成された弾性蓄熱層と、を有することを特徴とする。
【発明の効果】
【０００７】
本発明によれば、内釜における弾性蓄熱層が形成された部分が、上方から下方にかけて内側に向けて傾斜しているため、本体から内釜を引き出すときに引っ掛かり難い。このため、炊飯器の使い勝手を向上させるという効果を奏する。
【図面の簡単な説明】
【０００８】
【図１】実施の形態１に係る炊飯器１を示す側面断面図である。
【図２】実施の形態１における内釜４を示す側面断面図である。
【図３】実施の形態１における内釜４の最外側部を示す側面断面図である。
【図４】第１変形例における内釜４の最外側部を示す側面断面図である。
【図５】第２変形例における内釜４の最外側部を示す側面断面図である。
【図６】第３変形例における内釜４の最外側部を示す側面断面図である。
【発明を実施するための形態】
【０００９】
以下、本発明に係る炊飯器の実施の形態について、図面を参照しながら説明する。なお、以下に説明する実施の形態によって本発明が限定されるものではない。また、図１を含め、以下の図面では各構成部材の大きさの関係が実際のものとは異なる場合がある。
【００１０】
実施の形態１．
図１は、実施の形態１に係る炊飯器１を示す側面断面図である。この図１に基づいて、炊飯器１について説明する。図１に示すように、炊飯器１は、本体２と、蓋体３と、内釜４と、内釜４の周囲に形成された弾性蓄熱層５とを備えている。本体２は、例えば上面に開口２１を有する有底筒状をなしている。また、この開口２１から、内釜４が挿入され、本体２の内部に装着される。そして、この開口２１は、蓋体３によって開閉される。本体２の上部には、ラッチボタン２７が設けられており、蓋体３が閉じた状態で、このラッチボタン２７が押下されると、蓋体３が開くようになっている。
【００１１】
また、本体２の内部の内壁２６には、コイル台２２が形成されており、コイル台２２には、複数の誘導加熱部２３が設けられている。この誘導加熱部２３は、本体２の内部に装着された内釜４を加熱するものである。なお、本体２の内壁２６の上端部には、枠状の上枠２５が設けられており、この上枠２５には、内釜受け部２５ａが設けられている。
【００１２】
また、本体２の内壁２６の底部には、底面センサ２４が設けられており、この底面センサ２４は、センサ付勢バネ２４ａと、このセンサ付勢バネ２４ａの先端に取り付けられた釜温センサ本体２４ｂとを備えている。この釜温センサ本体２４ｂは、内釜４の温度を検出するものである。本体２の内部に内釜４が装着されると、内釜４の底面が底面センサ２４に接触し、内釜４の自重によって、底面センサ２４が下方（矢印Ｚ１方向）に押圧される。その際、釜温センサ本体２４ｂは、センサ付勢バネ２４ａによって、上方（矢印Ｚ２方向）に付勢され、この付勢力により、底面センサ２４と内釜４の底面との密着性を高めている。これにより、釜温センサ本体２４ｂは、内釜４の温度を適切に検出することができる。
【００１３】
また、蓋体３は、一端部に、ヒンジ軸３１と、ヒンジバネ３２とを備えている。蓋体３は、このヒンジ軸３１及びヒンジバネ３２によって、本体２に軸支されている。蓋体３は、ヒンジバネ３２によって、本体２から離れて本体２の開口２１を開く方向に付勢されている。そして、蓋体３が閉じた状態で、ラッチボタン２７が押下されると、ヒンジバネ３２の付勢力により、蓋体３は、ヒンジ軸３１を中心として回転し、本体２から離れる。これにより、本体２の開口２１が開かれる。
【００１４】
次に、内釜４について説明する。図２は、実施の形態１における内釜４を示す側面断面図である。図２に示すように、内釜４は、例えば上面が開口した有底円筒状をなしており、被炊飯物が内部に収容されるものである。この内釜４には、その上端における周縁部から外側に向けて若干延びる内釜フランジ４１が設けられており、この内釜フランジ４１は、内釜４が本体２の内部に装着されるときに、内釜フランジ４１の下面が本体２に設けられた内釜受け部２５ａに係止される。
【００１５】
また、内釜４には、白米等の被炊飯物の炊飯時に水が注入され、被炊飯物が水に浸される。この水の量の指標として、内釜４の内壁２６には、目盛り４２が刻まれている。この目盛り４２は、例えば、白米用、玄米用及びすし用の指標として、複数設けられており、これらのうち、白米用の目盛り４２が、もっとも高い位置に刻まれている。そして、炊飯器１が、例えば白米の５．５合炊きに対応する品種である場合、目盛り４２は、５．５合まで振られており、従って、この５．５合における目盛り４２の位置が、目盛り４２の上端部である。また、内釜４の側面は、内釜４の上端部から垂直に下降する垂直面４３と、垂直面４３の下端から下方にかけて内釜４の内側に向けて傾斜する傾斜面４４とからなる。なお、内釜４と本体２の内部との間には隙間があってもよいが、熱伝導性を高めるため、これらの内釜４と本体２とは密着していてもよい。
【００１６】
次に、弾性蓄熱層５について説明する。図３は、実施の形態１における内釜４の最外側部を示す側面断面図である。弾性蓄熱層５は、例えばシリコンゴムからなり、内釜４の底面と、内釜４の側面のうち傾斜面４４とを覆うように形成されている。これにより、誘導加熱部２３によって内釜４が加熱されても、その熱を逃げ難くし、内釜４に収容された被炊飯物の保温性が高まる。なお、傾斜面４４を覆う部分を、弾性蓄熱層傾斜面５３と呼称する。
【００１７】
そして、この弾性蓄熱層５は、図３に示すように、幅方向（矢印Ｙ方向）の最外側部Ｓｍａｘが、内釜フランジ４１を除く内釜４における幅方向（矢印Ｙ方向）の最外側部Ｐｍａｘ、即ち内釜４の側面のうち垂直面４３よりも内側に位置している。なお、弾性蓄熱層５は、幅方向（矢印Ｙ方向）の最外側部Ｓｍａｘが、内釜フランジ４１を除く内釜４における幅方向（矢印Ｙ方向）の最外側部Ｐｍａｘと同じ位置にあってもよい。また、弾性蓄熱層５は、図２に示すように、その上端部５２が、白米用の目盛り４２の上端部よりも上方に位置している。なお、内釜４における傾斜面４４は、目盛り４２の上端部よりも上方から、内釜４の底面に向けて直線的に傾斜している。また、弾性蓄熱層５は、その上端部５２が、白米用の目盛り４２の上端部と同じ位置にあってもよい。更に、弾性蓄熱層５の表面５１には、弾性蓄熱層５における深さ方向（矢印Ｚ方向）の摩擦力を低減する加工が施されている。これは、例えば、シボ加工によって弾性蓄熱層５の表面５１に形成される皺模様又は縦縞模様等が挙げられる。
【００１８】
次に、本実施の形態１に係る炊飯器１の作用について説明する。上記のとおり、内釜４の側面は、その一部が、傾斜面４４となっている。そして、この傾斜面４４に弾性蓄熱層５の弾性蓄熱層傾斜面５３が形成されている。このように、炊飯器１は、内釜４における弾性蓄熱層５が形成された部分が、上方から下方にかけて内側に向けて傾斜しているため、本体２から内釜４を引き出すときに引っ掛かり難い。従って、炊飯器１は、本体２から内釜４を引き出し易く、その結果、炊飯器１の使い勝手が向上する。また、本実施の形態１では、弾性蓄熱層５における幅方向（矢印Ｙ方向）の最外側部Ｓｍａｘが、内釜フランジ４１を除く内釜４における幅方向（矢印Ｙ方向）の最外側部Ｐｍａｘ、即ち内釜４の側面のうち垂直面４３よりも、内側に位置している。従って、本体２から内釜４を取り出すとき、本体２の内壁２６には、弾性蓄熱層５ではなく、弾性蓄熱層５よりも外側に位置する内釜４の垂直面４３が当たる。このため、本体２からの内釜４の取り出し易さが、更に向上する。
【００１９】
更に、本実施の形態１では、弾性蓄熱層５は、その上端部５２が、白米用の目盛り４２の上端部よりも上方に位置している。よって、炊飯器１に対応する最大量の白米と、その白米に対応する水とが、内釜４に収容されても、これらの白米及び水の全体が、内釜４を介して弾性蓄熱層５に覆われる。一般的に、白米は、そのほかの玄米等に比べて、必要な水の量が多いため、弾性蓄熱層５が最大量の白米に対応する水の全体を覆うことができれば、そのほかの玄米等に対応する水の全体を覆うことができる。このように、炊飯器１内の被炊飯物は、内釜４に収容された際に、その全体が、弾性蓄熱層５によって覆われるため、被炊飯物の保温性を高めることができる。なお、本実施の形態１は、白米の目盛り４２が、もっとも高い位置に刻まれているが、上端部に刻まれた目盛り４２は、白米でなくてもよい。
【００２０】
更にまた、本実施の形態１では、弾性蓄熱層５の表面５１には、弾性蓄熱層５における深さ方向（矢印Ｚ方向）の摩擦力を低減する加工が施されている。これにより、本体２から内釜４を引き出すときに、弾性蓄熱層５が本体２の内壁２６に当たっても、引き出す際に生じる摩擦が低減され、従って、本体２からの内釜４の引き出し易さを向上させることができる。
【００２１】
次に、本実施の形態１の第１変形例に係る炊飯器１について説明する。図４は、第１変形例における内釜４の最外側部を示す側面断面図である。この第１変形例では、図４に示すように、内釜４の側面は、垂直面４３の下端部から、内釜４の内側に向けて水平に屈曲し、その屈曲部４５から下方にかけて、内釜４の内側に向かう傾斜面４４が形成されている。そして、弾性蓄熱層５は、この屈曲部４５から下方において、傾斜面４４に沿うように形成されている。これにより、この第１変形例においても、実施の形態１と同様の効果を奏する。
【００２２】
次に、本実施の形態１の第２変形例に係る炊飯器１について説明する。図５は、第２変形例における内釜４の最外側部を示す側面断面図である。この第２変形例では、図５に示すように、内釜４の側面のうち垂直面４３に対応する部分の肉厚よりも、傾斜面４４に対応する部分の肉厚が薄く、この薄くなっている部分に、弾性蓄熱層５が形成されている。これにより、この第２変形例においても、実施の形態１と同様の効果を奏する。
【００２３】
次に、本実施の形態１の第３変形例に係る炊飯器１について説明する。図６は、第３変形例における内釜４の最外側部を示す側面断面図である。この第３変形例では、図６に示すように、弾性蓄熱層５における幅方向（矢印Ｙ方向）の最外側部Ｓｍａｘが、内釜フランジ４１を除く内釜４における幅方向（矢印Ｙ方向）の最外側部Ｐｍａｘ、即ち内釜４の側面のうち垂直面４３よりも外側に位置している。この第３変形例のように、弾性蓄熱層５の最外側部Ｓｍａｘが内釜４の最外側部Ｐｍａｘより外側に位置していても、炊飯器１の内釜４は、傾斜面４４を有し、この傾斜面４４に弾性蓄熱層５が形成されているため、本体２から内釜４を取り出すとき、弾性蓄熱層５が本体２の内部に引っ掛かり難い。このように、炊飯器１は、弾性蓄熱層５と内釜４との幅方向（矢印Ｙ方向）の相対的な位置関係に関わらず、本体２からの内釜４の取り出し易さの向上という効果を奏する。
【符号の説明】
【００２４】
１  炊飯器、２  本体、３  蓋体、４  内釜、５  弾性蓄熱層、２１  開口、２２  コイル台、２３  誘導加熱部、２４  底面センサ、２４ａ  センサ付勢バネ、２４ｂ  釜温センサ本体、２５  上枠、２５ａ  内釜受け部、２６  内壁、２７  ラッチボタン、３１  ヒンジ軸、３２  ヒンジバネ、４１  内釜フランジ、４２  目盛り、４３  垂直面、４４  傾斜面、４５  屈曲部、５１  表面、５２  上端部、５３  弾性蓄熱層傾斜面。
【図１】
2015008748.tif 000003
【図２】
2015008748.tif 000004
【図３】
2015008748.tif 000005
【図４】
2015008748.tif 000006
【図５】
2015008748.tif 000007
【図６】
2015008748.tif 000008